(57)【要約】【課題】運転音を低減できる電気掃除機を提供する。【解決手段】本発明の電気掃除機Ｓは、塵埃を含む空気を吸い込む本体吸気口１１と吸引力を発生する電動送風機１４とを有する掃除機本体１と、本体吸気口１１と電動送風機１４との間に設けられる着脱自在な集塵装置１０と、集塵装置１０と電動送風機１４との間に設けられ、集塵装置１０からの排気が流入する上流開口２１ｉと排気が吸入される電動送風機１４の吸気口１６ｓとを結ぶ排気が流れる流路２１ｗが形成されるダクト２１とを具備し、ダクト２１は、流路の奥側に袋小路を成す空間部２１ｆが形成され、空間部２１ｆ内に突起を複数有している。【選択図】図１２
2016010429.tif 000002
【特許請求の範囲】
【請求項１】
塵埃を含む空気を吸い込む本体吸気口と吸引力を発生する電動送風機とを有する掃除機本体と、
前記本体吸気口と前記電動送風機との間に設けられる着脱自在な集塵装置と、
前記集塵装置と前記電動送風機との間に設けられ、前記集塵装置からの排気が流入する上流開口と前記排気が吸入される前記電動送風機の吸気口とを結ぶ前記排気が流れる流路が形成されるダクトとを具備し、
前記ダクトは、前記流路の奥側に前記袋小路を成す空間部が形成され、
前記空間部内に突起を複数有する
ことを特徴とする電気掃除機。
【請求項２】
前記突起は、
前記電動送風機の羽根の方向に沿った形状の板状のリブである
ことを特徴とする請求項１に記載の電気掃除機。
【請求項３】
前記突起は、
前記電動送風機の回転中心に対して、放射状に設けられる板状のリブである
ことを特徴とする請求項１に記載の電気掃除機。
【請求項４】
前記突起は、
柱状である
ことを特徴とする請求項１に記載の電気掃除機。
【請求項５】
塵埃を含む空気を吸い込む本体吸気口と吸引力を発生する電動送風機とを有する掃除機本体と、
前記本体吸気口と前記電動送風機との間に設けられる着脱自在な集塵装置と、
前記集塵装置と前記電動送風機との間に設けられ、前記集塵装置からの排気が流入する上流開口と前記排気が吸入される前記電動送風機の吸気口とを結ぶ前記排気が流れる流路が形成されるダクトと、
前記電動送風機を覆うケースとを具備し、
前記ダクトは、前記流路以外の領域に前記ケースとの間に空間部が形成され、
前記空間部内に突起を複数有する
ことを特徴とする電気掃除機。
【発明の詳細な説明】
【技術分野】
【０００１】
本発明は、電気掃除機に関する。
【背景技術】
【０００２】
従来、捕集容器内にごみを集めて圧縮し、該捕集容器の底蓋を開放することでごみが円滑に捨てられるサイクロン分離装置とそれを備えた電気掃除機がある。
【０００３】
この掃除機では、本体内に設けられる電動送風機により、本体に形成される吸気口から、塵埃を含む空気吸込み、サイクロン分離装置を通過させて空気と塵埃を分離して塵埃を  除去し、塵埃を除去後の空気を電動送風機を介して、機外に排出している。
この電気掃除機では、電動送風機の吸気口の吸気する方向と、該吸気口に接続される吸気ダクト内の吸気の方向とが同一方向でなくズレている。例えばダクトに入った風がダクト内で方向を変えるようになっており、電動送風機に吸い込む空気を、吸気ダクトにより電動送風機の吸気口に案内している。
【先行技術文献】
【特許文献】
【０００４】
【特許文献１】特開平１１−９９０９７号公報(段落００１７、図１、図４等)
【特許文献１】特開２０１１−３６４４７号公報(段落００５４〜００５９、図９〜図１３等)
【発明の概要】
【発明が解決しようとする課題】
【０００５】
ところで、上述のサイクロン分離装置を備えた電気掃除機では、電動送風機の吸気口の吸気する方向と該吸気口に接続される吸気ダクト内の吸気の方向とがズレているため、該ダクト内で吸気に起因する共鳴音や、モータ音が発生する恐れがある。
特許文献１には、電気掃除機の吸込性能の向上を目的とする旋回流ガイドが記載されている。しかし、特許文献１の構成は、電動送風機の吸気口の吸気する方向と該吸気口に接続される吸気ダクト内の吸気の方向とが異なる際の共鳴音や、モータ音を抑える構成ではない。
【０００６】
特許文献２には、吸気ダクトの開口から対面に延伸した方向の排出口の開口から離れた側に空間を有し、進行波と反射波との干渉作用により消音効果を得ている。加えて仕切り板６１により、分割される空間の奥行き寸法を音波の波長の１／４に設定することで、波長ズレにより打ち消し合うことによる消音効果を得ている。
しかし、設定した波長の音波にしか効果が得られず、電動送風機のモータ音、吸気ダクト内の共鳴音を抑えるのに十分な効果を奏していない。
【０００７】
本発明は上記実状に鑑み、運転音を低減できる電気掃除機の提供を目的とする。
【課題を解決するための手段】
【０００８】
前記課題を解決するため、本発明の電気掃除機は、塵埃を含む空気を吸い込む本体吸気口と吸引力を発生する電動送風機とを有する掃除機本体と、前記本体吸気口と前記電動送風機との間に設けられる着脱自在な集塵装置と、前記集塵装置と前記電動送風機との間に設けられ、前記集塵装置からの排気が流入する上流開口と前記排気が吸入される前記電動送風機の吸気口とを結ぶ前記排気が流れる流路が形成されるダクトとを具備し、前記ダクトは、前記流路の奥側に前記袋小路を成す空間部が形成され、前記空間部内に突起を複数有している。
【発明の効果】
【０００９】
本発明によれば、運転音を低減できる電気掃除機を提供することができる。
【図面の簡単な説明】
【００１０】
【図１】本発明に係る実施形態１の電気掃除機を示す外観斜視図。
【図２】掃除機本体から集塵装置や吸引ホースを取り外した状態を示す外観斜視図。
【図３】掃除機本体の上ケースを取り外した状態を示す斜視図。
【図４】掃除機本体を側方から見た掃除機本体を示す中央断面図。
【図５】集塵装置を示す正面図。
【図６】集塵装置を示す左側面図。
【図７】集塵装置を示す背面図。
【図８】集塵装置を示す分解図。
【図９】集塵装置のフィルタケース上部と捕塵フィルタを取り外したときを示す外観図。
【図１０】図９においてフィルタ受け部を取り外したときを示す外観図。
【図１１】図３のＤ方向矢視図。
【図１２】図１１のＥ方向矢視図。
【図１３】ダクトと上モータケースとを分解した状態を斜め上方から見た斜視図。
【図１４】ダクトと上モータケースとを分解した状態を斜め下方から見た斜視図。
【図１５】実施形態２の電動送風機の吸込み部廻りを見た斜視図。
【図１６】実施形態２のダクトと上モータケースとを分解した状態を斜め上方から見た斜視図。
【図１７】実施形態２のダクトと上モータケースとを分解した状態を斜め下方から見た斜視図。
【図１８】実施形態２の変形例１の電動送風機の吸込み部廻りを見た斜視図。
【図１９】実施形態２の変形例１のダクトと上モータケースとを分解した状態を斜め上方から見た斜視図。
【図２０】実施形態２の変形例１のダクトと上モータケースとを分解した状態を斜め下方から見た斜視図。
【図２１】実施形態２の変形例２の電動送風機の吸込み部廻りを見た斜視図。
【図２２】実施形態２の変形例２のダクトと上モータケースとを分解した状態を斜め上方から見た斜視図。
【図２３】実施形態２の変形例２のダクトと上モータケースとを分解した状態を斜め下方から見た斜視図。
【図２４】実施形態３の電動送風機の吸込み部廻りを見た斜視図。
【図２５】実施形態３のダクトと上モータケースとを分解した状態を斜め上方から見た斜視図。
【図２６】実施形態３のダクトと上モータケースとを分解した状態を斜め下方から見た斜視図。
【図２７】実施形態３の変形例１の電動送風機の吸込み部廻りを見た斜視図。
【図２８】実施形態３の変形例１のダクトと上モータケースとを分解した状態を斜め上方から見た斜視図。
【図２９】実施形態３の変形例１のダクトと上モータケースとを分解した状態を斜め下方から見た斜視図。
【図３０】実施形態３の変形例２の電動送風機の吸込み部廻りを見た斜視図。
【図３１】実施形態３の変形例２のダクトと上モータケースとを分解した状態を斜め上方から見た斜視図。
【図３２】実施形態３の変形例２のダクトと上モータケースとを分解した状態を斜め下方から見た斜視図。
【発明を実施するための形態】
【００１１】
以下、本発明の実施形態について、適宜図面を参照しながら詳細に説明する。
＜＜実施形態１＞＞
図１に、本発明に係る実施形態１の電気掃除機の外観斜視図を示し、図２に、掃除機本体から集塵装置や吸引ホースを取り外した状態の外観斜視図を示す。なお、上下方向、左右方向、前後方向については図１に示す方向とする。なお、左右方向は、掃除機本体１側から見たものである。
【００１２】
電気掃除機Ｓは、掃除機本体１と、掃除機本体１に着脱自在に設けられるサイクロン方式の集塵装置１０とを備えている。
掃除機本体１は、吸引ホース２を介して手元ハンドル３と接続され、手元ハンドル３は延長管６を介して、塵埃などを吸込む吸口体７と接続されている。集塵装置１０には、吸口体７で吸い込まれた塵埃などのごみが集塵される。
【００１３】
掃除機本体１には、掃除機本体１を自在に移動するための左右の一対の車輪１５ａと、前部の一つのキャスタ１５ｂとが備えられている。なお、後部には、掃除機本体１を後ろ側に傾けた際にその後部を傷めないように、一つのローラ１５ｃが備わっている(図４参照)。
【００１４】
手元ハンドル３には、掃除機本体１に内蔵される電動送風機１４（図４参照）や、吸口体７に設けられる電動回転ブラシ（図示せず）などの駆動制御を担う操作部４を備えている。操作部４には、運転を開始する際、押下する（強・中・弱）ボタンや、運転を停止する際に押下する（切）ボタンなどの操作ボタン５が配置されている。
【００１５】
＜掃除機本体１＞
図２に示すように、掃除機本体１は、上ケース１ａと下ケース１ｂとが組み合わされ外殻が形成されている。上ケース１ａおよび下ケース１ｂは、軽量な樹脂材料で形成されている。下ケース１ｂの前部には、塵埃を含む空気が吸い込まれるホース取り付け口１１が開口されている。
【００１６】
図３に、掃除機本体の上ケースを取り外した状態の斜視図を示し、図４に、掃除機本体を側方から見た掃除機本体の中央断面図を示す。
ホース取り付け口１１は、掃除機本体１内の塵埃を含む空気が通過する導入管２０に接続されている。
【００１７】
掃除機本体１の内部には、図４に示すように、モータケース１６内に、吸口体７(図１参照)での吸引力を発生する電動送風機１４が収納されている。また、電動送風機１４で吸引した塵埃を除去した後の空気の流路には排気を清浄化するプリーツ状の高捕塵フィルタ２９が配置されている。
【００１８】
図２に示す掃除機本体１の正面左側には、ホース取り付け口１１と、導入管２０を介して流体的に接続される導入管出口１２が備わっている。導入管出口１２は、掃除機本体１にセットされる集塵装置１０に流体的に接続されている。集塵装置１０は、吸口体７で吸込んだ塵埃などのごみを含む空気をごみと空気とに分離し、ごみを収容するものである。
【００１９】
一方、掃除機本体１の正面上部には、電動送風機１４と連通するダクト２１(図３参照)へのダクト入口部２１ｉが備わっている。ダクト入口部２１ｉは、集塵装置１０で塵埃などのごみを除去した後に空気が吸い込まれる口である。ダクト入口部２１ｉには、電動送風機１４への塵埃除去後の空気に含まれる異物の侵入を抑制するために保護フィルタ（図示せず）が設けられている。保護フィルタは格子状のフィルタカバー１７(図２参照)で覆われている。
【００２０】
＜集塵装置１０＞
集塵装置１０は、図２の白抜き矢印α１に示すように、掃除機本体１の前上部が後側に傾斜した状態で着脱自在に取り付けられる(図４参照)。集塵装置１０は、ごみが外筒３０内に溜まった際に、図２に示すように、掃除機本体１から取り外され、ごみ捨て後に掃除機本体１に取り付けられる。
【００２１】
掃除機本体１には、集塵装置１０を掃除機本体１に取り付けた際に容易に気密を保持できるように、集塵装置１０の位置決めのための構造や固定するための構造を備えている。
図２に示す掃除機本体１における凹状の取っ手収納部２２には、集塵装置１０の後方に備えている取っ手３５が収納される(図４参照)。これは、集塵装置１０を掃除機本体１にセットする際の集塵装置１０の位置決めのための構造となっている。
【００２２】
また、掃除機本体１における集塵装置１０の取り付け箇所の下部には、集塵装置１０の底蓋３１(図２参照)の底面との嵌合部１ａ１が設けられ、集塵装置１０の固定のための構造としている。そして、掃除機本体１の上部に設けた蓋体１９で、集塵装置１０の上部を固定する構成である。
【００２３】
図４に示すように、集塵装置１０が掃除機本体１に取り付けられた状態では、集塵装置１０は、ダクト２１と流体的に接続されている。ダクト２１は、ホース取り付け口１１に隣接する導入管２０およびフィルタカバー１７で覆われる保護フィルタに隣接する。
電動送風機１４は、上流側にごみを除去後の保護フィルタを通った空気が流れるダクト２１が流体的に接続される一方、下流側に高捕塵フィルタ２９が流体的に接続されている。
【００２４】
＜掃除機本体１内に吸い込まれた塵埃を含む空気の流路＞
集塵装置１０が掃除機本体１に取り付けられた状態では、縦断面図の図４に示すように、ホース取り付け口１１から高捕塵フィルタ２９に至るまで、一連の流路となっている。
電気掃除機Ｓの掃除機本体１において、吸口体７から掃除機本体１に吸込まれた空気は図４に示す矢印β１〜β８のように流れる。
【００２５】
具体的には、吸口体７(図１参照)で吸い込まれた塵埃などを含む空気は、ホース取り付け口１１から掃除機本体１内の導入管２０に流入し(図４の矢印β１)、導入管２０内を通って導入管出口１２を通って集塵装置１０に至る(図４の矢印β２)。  集塵装置１０内に入った塵埃などを含む空気は内筒４０の廻りを回る気流となる (図４の矢印β３)。この気流により発生する遠心力で空気と塵挨を分離し、空気は内筒４０内に吸い込まれ、一部の気流（図４の矢印β４）は集塵装置１０の下部へ流れる。塵挨は、この気流（図４の矢印β４）により、外筒３０内面に沿って落下し、集塵装置１０の下部に溜まる。
【００２６】
集塵装置１０の下部への気流（図４の矢印β４）は、円筒状の傘部４４の外周面に沿って上昇し(図４の矢印β５)、内筒４０内に吸い込まれる。
内筒４０内にはメッシュ部材４２ａを通過した遠心分離しきれなかった微細な塵挨を含む空気が流れ、集塵装置１０に設けた捕塵フィルタ３２で微細な塵挨が除去される。そして、塵挨が除去された空気は、ダクト２１を通過して、電動送風機１４に吸い込まれる(図４の矢印β６)。そして、電動送風機１４に吸い込まれた空気は、高捕塵フィルタ２９を通過して残留する異物などが除去され(図４の矢印β７)、掃除機本体１の後下部の排出口７６から外部に排出される(図４の矢印β８)。
【００２７】
ここで、高捕塵フィルタ２９は、捕塵フィルタ３２で捕集できなかった微細な塵埃や電動送風機１４のカーボンブラシ（図示せず）の摩耗屑を、塵埃除去後の空気から取り除き、ほぼ塵埃を含まないきれいな空気にして、掃除機本体１の外部へ排出する。
なお、詳細は省略するが、上述の掃除機本体１に吸い込まれた空気の流路付近の各部品の接続部（接触部）にはパッキング（図示せず）が設けられ、運転中の気密が保持されている。
【００２８】
＜コードリール２３と導入管２０＞
図４に示す電動送風機１４を収納するモータケース１６は、図３に示すように、掃除機本体１右側後方に配置され、左側後方にはコンセント等から電動送風機１４などへ電力を供給するための電源コード２３ａを収納するためのコードリール２３が配置されている。本実施形態では、モータケース１６およびコードリール２３の配置の関係上、導入管２０および導入管出口１２を左側に配置しているがこの限りではなく、導入管２０などを右側に配置しても構わない。
【００２９】
導入管２０を掃除機本体１の中央ではなく、左右の側部どちらかに寄せて配置するのは、詳細は後記するが集塵装置１０の外筒３０の内周面の接線方向(掃除機本体１の左右の側部何れかに位置する)から、吸込んだ空気を流入させ旋回流を発生させ易くするためである。
したがって、導入管２０の配置により、旋回流の回転方向は異なるが、回転方向は時計廻りまたは反時計廻りのどちらでも構わない。例えば、導入管２０を左側に配置した場合は時計回りの旋回流となる。本実施形態では、時計回りの旋回流としている。
【００３０】
なお、例えば、導入管２０を左側（若しくは中央）に配置し、導入管出口１２が右側になるような曲がり部の多い導入管２０の形状にしても構わないが、圧力損失が増加する。そのため、導入管２０は、図３に示すような配置とし、導入管２０での圧力損失の増加を極力抑えるため、ホース取り付け口１１から可能な限り大きな半径で導入管出口１２と繋がるような形状としている。また、導入管２０内の容積や断面積も、圧力損失の増加を極力抑えるために可能な限り大きく形成している。
【００３１】
＜集塵装置１０＞
次に、集塵装置１０について図５から図８を用いて説明する。図５に集塵装置１０の正面図を示し、図６に集塵装置１０の左側面図を示す。また、図７に集塵装置１０の背面図を示し、図８に集塵装置１０の分解図を示す。
【００３２】
集塵装置１０は、吸口体７で吸込んだ塵埃などを含む空気を、塵埃などのごみと空気とを分離し、塵埃などのごみを集める機能をもつ。
集塵装置１０は、概ね外筒３０、内筒４０、捕塵フィルタ３２(図４参照)を収納するフィルタケース３３、および底蓋３１で形成されている。外筒３０の上部にフィルタケース３３、下部に底蓋３１が配置されている。そして、外筒３０内に外筒３０と同心円状に内筒４０を備えている。
【００３３】
詳細は後記するが、集塵装置は、外筒３０と内筒４０との間に塵埃の分離・集塵のための空間を有している。つまり、外筒３０と内筒４０とで形成される空間のうち、上部に塵埃分離部１０Ａを備え、下部に塵埃集塵部１０Ｂを備える。
塵埃分離部１０Ａは、塵埃と該塵埃を運んだ空気とを分離する空間である。塵埃収容部  １０Ｂは、塵埃を集めて収容する空間である。
図６に示すように、外筒３０は、集塵装置１０を持ち運ぶための取っ手３５を備えている。取っ手３５の上部には、ごみを排出（廃棄）する際に押下するごみ捨てボタン３５ａを備えている。外筒３０の前方下側には、底蓋３１が回転自在に支持される回転軸３１ａを有している。
外筒３０上部に設けられるフィルタケース３３は、上面部が蓋構造となっており、フィルタケース上部３３ａとフィルタケース下部３３ｂとに分割される。フィルタケース下部３３ｂは外筒３０上部と一体に形成され、捕塵フィルタ３２(図８参照)を受けるフィルタ受け部３４が収納されている。
【００３４】
フィルタ受け部３４は、外筒３０に設けたフィルタケース下部３３ｂに全体が収まるようにフィルタケース下部３３ｂの内壁面をオフセットした形状(フィルタケース下部３３ｂの内壁面より縮径した形状)であり、フィルタケース下部３３ｂに容易に着脱できる最大寸法で形成されている。
【００３５】
図８に示すように、フィルタ受け部３４の略中心部は開口しており、後記する内筒４０と流体的に連通している。さらに、フィルタ受け部３４の外殻の底面には、気密部材３４ａを備えている。気密部材３４ａはフィルタケース下部３３ｂの底面と接することにより、フィルタ受け部３４とフィルタケース下部３３ｂとの気密をとっている。
【００３６】
図９に集塵装置１０のフィルタケース上部３３ａと捕塵フィルタ３２を取り外したときの外観図を示し、図１０に図９においてフィルタ受け部３４を取り外したときの外観図を示す。
【００３７】
フィルタ受け部３４の外殻上部の外周に固定リブ３４ｂが設けられている。図９の白抜き矢印α２に示すように、フィルタ受け部３４をフィルタケース下部３３ｂの所定の位置に装着した後、図９中矢印方向に回すことで、フィルタケース下部３３ｂに設けた固定レール３３ｃ(図１０参照)と固定リブ３４ｂ(図９参照)とが嵌合し、フィルタケース下部３３ｂとフィルタ受け部３４とを気密を保った状態で固定することができる。図８に示すように、フィルタ受け部３４の上面は鍔状の捕塵フィルタ受け部３４ｃを設けており、後記する捕塵フィルタ３２の外周に設けたパッキング３２ａの下面側に圧接される。
【００３８】
捕塵フィルタ３２は、通気面積を拡大するためにプリーツ状（山折状）に折られており、円状の枠体に接着されている。前記したように、フィルタ受け部３４に捕塵フィルタ３２を装着すると、パッキング３２ａの下面側とフィルタ受け部３４に備えた捕塵フィルタ受け部３４ｃとが接し、パッキング３２ａの上面側は、フィルタケース上部３３ａと接する。こうして、フィルタケース上部３３ａとフィルタ受け部３４とが外部空間に対して気密に封止される。
【００３９】
フィルタケース上部３３ａには、後方に爪部、前方にロック機構３７を備えており、爪部をフィルタケース下部３３ｂの係止部に引っ掛け、前方のロック機構３７により外筒３０と固定が可能となる。よって、フィルタケース下部３３ｂに、フィルタ受け部３４、及び捕塵フィルタ３２を装着しフィルタケース上部３３ａを装着することで、捕塵フィルタ３２前後の気密を保持することが可能となる。
【００４０】
図８に示すように、フィルタケース上部３３ａの外観面には、上面に集塵装置１０を持つための持ち手５５、前方に掃除機本体１と固定するためのクランプ部５０、及びクランプ部５０を駆動するボタン６０を備えている。フィルタケース上部３３ａの後方には、電動送風機１４と流体的に接続される開口部３９が設けられる。
【００４１】
図４に示すように、開口部３９は保護フィルタ及びフィルタカバー１７を介しダクト２１と接続される。フィルタカバー１７は、捕塵フィルタ３２と同様に外周部の前後面にゴム部材等で成型されたパッキングが設けられ、開口部３９とダクト２１との間の気密が保持されている。
【００４２】
図８に示すフィルタケース上部３３ａ上部の持ち手５５は、集塵装置１０を掃除機本体１に装着する際に、掃除機本体１に設けられる蓋体１９で覆われる。これは、掃除機本体１を持ち運ぶ際に、本体ハンドル１８(図１参照)ではなく、持ち手５５(図２参照)を持ち上げることを防止するためである。
【００４３】
＜蓋体１９＞
図１に示す蓋体１９は、掃除機本体１上部に設けられる回転軸部に回転自在に支持され、該回転軸部に蓋体１９が開く方向に付勢されるねじりバネ（図示せず）を備えている。
【００４４】
蓋体１９は、図２の開いた状態（蓋体１９が直立した状態）から前方へ倒す際にねじりバネの弾性による捩り力が加わり、蓋体１９底面の前側に設けた爪部１９ａを、フィルタケース上部３３ａのクランプ部５０に係合して蓋体１９が閉じた状態となる。この際、蓋体１９にねじりバネが元の状態に戻ろうとする弾性力が加わり、その反作用として集塵装置１０を掃除機本体１側へ押し付けることができる。この構成により、集塵装置１０と掃除機本体１との気密保持と、集塵装置１０の掃除機本体１への固定とが両立されている。
【００４５】
蓋体１９を閉じた状態において、フィルタケース上部３３ａのボタン６０(図１参照)を押下すると、クランプ部５０が解除され、図２に示すように、蓋体１９がねじりバネの弾性力で持ち上がり持ち手５５が現われる。持ち手５５が現われた状態で、ユーザが持ち手５５を引き上げることで集塵装置１０を掃除機本体１から容易に取り外すことができる。
【００４６】
換言すると、蓋体１９が開いた状態では、持ち手５５を引き上げることで集塵装置１０が掃除機本体１から外れる。このように、持ち手５５では掃除機本体１を持ち上げられない構造となっており、掃除機本体１を持ち上げる場合と集塵装置１０を持ち上げる場合との誤動作の防止を図っている。
【００４７】
＜電動送風機１４の吸込み部の構成＞
次に、電動送風機１４の吸込み部の構成について説明する。
本電気掃除機Ｓの電動送風機１４の吸込み部の構成は、電動送風機１４により発生する異音を低減または抑制する構成としたことに特徴がある。
【００４８】
図１１に図３のＤ方向矢視図を示す。
集塵装置１０で塵埃と空気とに分離された後、塵挨が除去された空気は、ダクト２１を通過して、電動送風機１４に吸い込まれる(図４、図１１の矢印β６)。
【００４９】
図１２に、電動送風機１４の吸込み部廻りを見た斜視図の図１１のＥ方向矢視図を示す。
前記したように、電動送風機１４は、上部を上モータケース１６ａに覆われ、下部を下モータケース１６ｂに覆われている。
上モータケース１６ａには、集塵装置１０から吸引される空気を電動送風機１４に導くダクト２１がねじｎ２止めで固定されている。
【００５０】
＜ダクト２１＞
集塵装置１０から吸引される空気は、図１１、図１２の矢印β６に示すように、ダクト２１のダクト入口部２１ｉから流入して、ダクト出口部２１ｏを介して、上モータケース１６ａの吸気口１６ｓを通過して電動送風機１４に吸い込まれる。
図１３に、ダクト２１と上モータケース１６ａとを分解した状態を斜め上方から見た斜視図を示し、図１４に、ダクト２１と上モータケース１６ａとを分解した状態を斜め下方から見た斜視図を示す。
【００５１】
ダクト２１は、ダクト入口部２１ｉから流入する空気の方向と、吸気口１６ｓに吸入される空気の方向とが略直交するように直角形状の風路２１ｗが形成されている。
ダクト入口部２１ｉは、鉛直面状に形成されており、ダクト出口部２１ｏは、ダクト２１の下面を形成するように構成されている。そして、ダクト入口部２１ｉとダクト出口部２１ｏとは、直角に進行方向を変える風路２１ｗにて接続されている。
【００５２】
ダクト２１には、ダクト入口部２１ｉおよびダクト出口部２１ｏから離れた位置に膨出する空間(スペース)が形成されている(図１１参照)。換言すれば、風路２１ｗから外れた位置に袋小路を成す袋小路部２１ｆが、ダクト出口部２１ｏの一部から上方に膨出して上モータケース１６ａの吸気口１６ｓとの間に空間(スペース)を有して形成されている。
袋小路部２１ｆを設けるのは、上モータケース１６ａの吸気口１６ｓに近くにダクト２１の壁板を形成した場合、電動送風機１４のモータ音が電気掃除機Ｓの機外に届き易くなる。加えて、電動送風機１４に吸引される空気の風が最も強い箇所であるため、ダクト２１の振動音が機外に漏れることがあるためである。
【００５３】
図１４に示すように、ダクト２１の袋小路部２１ｆを形成する上壁板２１ｆ１には、板状のリブ２１ｒが複数、下方に向けて立設されている。実施形態１では、５つのリブ２１ｒが形成される場合を示している。
上壁板２１ｆ１に立設される板状の複数のリブ２１ｒは、電動送風機１４の羽根１４ｈの方向に沿った方向に形成されている。
【００５４】
＜上モータケース１６ａ＞
図１２に示すように、電動送風機１４の上部を覆う上モータケース１６ａは、電動送風機１４の中央から下部を覆う下モータケース１６ｂにねじｎ３止めで固定されている。
上モータケース１６ａの中央には、略円状の孔である電動送風機１４への吸気口１６ｓが形成されている。吸気口１６ｓに対向して、電動送風機１４で吸引する風を起こす羽根(回転羽根)１４ｈが複数設けられている。
【００５５】
図１３、図１４に示すように、上モータケース１６ａは、電動送風機１４の上部を覆う下方に開口１６ｋをもつ皿形状を有している、
図１３に示すように、上モータケース１６ａには、ダクト２１のダクト出口部２１ｏに装着されるパッキング(図示)が当接される気密用のリブ１６ｍが形成されている。リブ１６ｍは、ダクト２１のダクト出口部２１ｏのパッキング取り付け箇所に対向する位置に、上方に突出してダクト２１のダクト出口部２１ｏの形状に沿って形成されている。
【００５６】
上モータケース１６ａにおける吸気口１６ｓとリブ１６ｍとの間には、電動送風機１４の羽根１４ｈに沿った方向に複数の板状のリブ１６ｄが、立設されている。実施形態１では、４つのリブ１６ｄが形成される場合を示している。
図１３に示すように、上モータケース１６ａには、ダクト２１を固定するための雌ねじ１６ｏ１が螺刻される固定用ボス１６ｏが設けられている。また、上モータケース１６ａには、下モータケース１６ｂに固定するねじｎ３が挿通する貫通孔をもつ取り付けボス１６ｈが複数設けられている。
【００５７】
説明した構成のダクト２１を上モータケース１６ａにねじｎ２止めで固定すると、上モータケース１６ａの複数の板状のリブ１６ｄとダクト２１の複数のリブ２１ｒが互い違いにダクト２１の袋小路部２１ｆ内に配置されることとなる。
【００５８】
上記構成によれば、電動送風機１４が覆われる上モータケース１６ａのダクト２１の袋小路部２１ｆに対向する箇所に複数の板状のリブ１６ｄを設け、ダクト２１の袋小路部２１ｆに板状の複数のリブ２１ｒが形成される。
【００５９】
そのため、電動送風機１４のアッセンブリ時にダクト２１の袋小路部２１ｆに、ダクト２１の複数のリブ２１ｒと上モータケース１６ａの複数のリブ１６ｄが互い違いに形成されるので、電気掃除機Ｓの運転時、電動送風機１４のモータ音がリブ２１ｒ、１６ｄに当たり減衰してかき消される。また、電気掃除機Ｓの運転時の電動送風機１４の吸込み側の共鳴現象が、リブ２１ｒ、１６ｄで寸断されて抑制され共鳴音が低減される。
【００６０】
つまり、反ダクト入口部２１ｉ側の空間の袋小路部２１ｆに複数のリブ１６ｄ、２１ｒを設けることにより、吸入空気流を阻害して吸込力を低下させることなくダクト２１内での共鳴を抑制できる。また、電動送風機１４の吸気口１６ｓから出る流体音を、複数のリブ１６ｄ、２１ｒで乱反射することで減衰させることができ、運転音を低減することができる。
【００６１】
以上のことから、集塵装置１０と電動送風機１４の吸気口１６ｓをつなぐダクト内２１に複数のリブ１６ｄ、２１ｒを設けることで、ダクト２１内の共鳴が抑制され、かつ電動送風機１４の吸気口１６ｓから出る流体音を減衰させ、運転音を低減した電気掃除機Ｓを提供できる。
従って、運転音を低減できる電気掃除機Ｓを実現することができる。
【００６２】
＜＜実施形態２＞＞
図１５に実施形態２の電動送風機の吸込み部廻りを見た斜視図を示す。
図１６に、実施形態２のダクトと上モータケースとを分解した状態を斜め上方から見た斜視図を示し、図１７に、実施形態２のダクトと上モータケースとを分解した状態を斜め下方から見た斜視図を示す。  
【００６３】
実施形態２の電気掃除機Ｓの電動送風機１４の吸込み部廻りの構成は、上モータケース１１６ａに板状のリブを設けないで、ダクト１２１の袋小路部１２１ｆに複数の板状のリブ２１ｒ１を設けたものである。
これ以外の構成は、実施形態１と同様であるから、同様な構成要素には、１００番台の符号を付して示し、詳細な説明は省略する。
【００６４】
実施形態２のダクト１２１は、ダクト入口部１２１ｉから流入する空気の方向と、吸気口１１６ｓに吸入される空気の方向とが略直交するように直角形状の風路１２１ｗが形成されている。
ダクト入口部１２１ｉは、鉛直面状に形成されており、吸気口１１６ｓに続く風路１２１ｗが通るダクト出口部１２１ｏは、ダクト１２１の下面を形成するように構成されている。そして、ダクト入口部１２１ｉとダクト出口部１２１ｏとは、直角に進行方向を変える風路１２１ｗにて接続されている。
【００６５】
ダクト１２１には、ダクト入口部１２１ｉおよびダクト出口部１２１ｏから離れた位置に、袋小路部１２１ｆが形成されている。袋小路部１２１ｆは、ダクト出口部１２１ｏの一部から上方に膨出して上モータケース１１６ａの吸気口１１６ｓとの間に空間(スペース)を有するように形成されている。
ダクト１２１の袋小路部１２１ｆには、上壁板１２１ｆ１に板状のリブ２１ｒ１が複数、下方に向けて立設されている。実施形態２では、図１７に示すように、５つのリブ２１ｒ１が形成される場合を示している。
上壁板１２１ｆ１(図１７参照)に立設される板状の複数のリブ２１ｒ１は、電動送風機１４の羽根１４ｈの方向に沿った方向に形成されている。
【００６６】
＜上モータケース１１６ａ＞
図１５に示すように、電動送風機１４の上部を覆う上モータケース１１６ａは、電動送風機１４の中央から下部を覆う下モータケース１６ｂ(図１１参照)にねじｎ３止めで固定されている。
上モータケース１１６ａの中央には、略円状の孔である電動送風機１４への吸気口１１６ｓが形成されている。吸気口１１６ｓに対向して、電動送風機１４で吸引する風を起こす羽根１４ｈが複数設けられている。
【００６７】
図１６、図１７に示すように、上モータケース１１６ａは、電動送風機１４の上部を覆う下方に開口１１６ｋをもつ皿形状を有している、
図１７に示すように、上モータケース１１６ａには、ダクト１２１のダクト出口部１２１ｏに装着されるパッキング(図示)が当接される気密用のリブ１１６ｍが形成されている。リブ１１６ｍは、ダクト１２１のダクト出口部１２１ｏのパッキング取り付け箇所に対向する位置に、上方に突出してダクト１２１のダクト出口部１２１ｏの形状に沿うように形成されている。
【００６８】
上モータケース１１６ａには、ダクト１２１を固定するための雌ねじ１１６ｏ１が螺刻される固定用ボス１１６ｏが設けられている。また、上モータケース１１６ａには、下モータケース１６ｂに固定するねじｎ３が挿通する貫通孔をもつ固定用のボス１１６ｈが複数設けられている。
説明した構成のダクト１２１を上モータケース１１６ａにねじｎ２止めで固定すると、ダクト１２１の複数のリブ２１ｒ１がダクト１２１の袋小路部１２１ｆ内に配置される。
【００６９】
上記構成によれば、ダクト１２１の袋小路部１２１ｆに板状の複数のリブ２１ｒ１が設けられ、電動送風機１４のアッセンブリ時にダクト１２１の袋小路部１２１ｆ、換言すれば流路以外の空間部内に、ダクト１２１の複数のリブ２１ｒ１が形成される。そのため、電気掃除機Ｓの運転時、電動送風機１４のモータ音が複数のリブ２１ｒ１に当たり減衰されかき消される。また、電気掃除機Ｓの運転時の送風機１４の吸込み側の共鳴現象が、複数のリブ２１ｒ１に寸断されて抑制され共鳴音の低減が可能である。
【００７０】
つまり、反ダクト入口部１２１ｉ側の空間の袋小路部１２１ｆに複数のリブ２１ｒ１を設けることにより、吸入空気流を阻害して吸込力を低下させることなくダクト１２１内での共鳴を抑制できる。また、電動送風機１４の吸気口１１６ｓから出る流体音を複数のリブ２１ｒ１により乱反射させることで減衰させることができ、運転音を低減することができる。
【００７１】
結果として、集塵装置１０と電動送風機１４の吸気口１１６ｓをつなぐダクト内１２１に複数のリブ２１ｒ１を設けることで、ダクト１２１内の共鳴を抑制し、かつ電動送風機１４の吸気口１１６ｓから出る流体音を減衰させ、運転音を低減した電気掃除機Ｓを提供できる。
従って、運転音を低減できる電気掃除機Ｓを実現することができる。
【００７２】
＜＜実施形態２の変形例１＞＞
図１８に実施形態２の変形例１の電動送風機の吸込み部廻りを見た斜視図を示す。図１９に、実施形態２の変形例１のダクト１２１と上モータケース１１６ａとを分解した状態を斜め上方から見た斜視図を示し、図２０に、実施形態２の変形例１のダクトと上モータケースとを分解した状態を斜め下方から見た斜視図を示す。  
【００７３】
実施形態２の変形例１は、ダクト１２１の袋小路部１２１ｆ内の上壁板１２１ｆ１(図２０参照)に、複数の板状のリブ２１ｒ２を、上モータケース１１６ａ内の電動送風機１４の回転中心(吸気口１１６ｓの中心)と同心状に放射状に設けたものである。
これ以外の構成は、実施形態２と同様であるから、同様な構成要素には、同一の符号を付して示し、詳細な説明は省略する。
【００７４】
上記構成によれば、ダクト１２１の袋小路部１２１ｆに板状の複数のリブ２１ｒ２が、吸気口１１６ｓの中心(電動送風機１４の回転中心)に対して放射状に設けられる。そして、電動送風機１４のアッセンブリ時にダクト１２１の袋小路部１２１ｆ内に、ダクト１２１の複数の板状のリブ２１ｒ２が形成される。そのため、電気掃除機Ｓの運転時、電動送風機１４のモータ音が放射状の複数のリブ２１ｒ２に当たり整流されかき消される。また、電気掃除機Ｓの運転時の送風機１４の吸込み側の共鳴現象が、放射状の複数のリブ２１ｒ２により節に分断され抑制され、共鳴音の低減が可能である。
【００７５】
つまり、反ダクト入口部１２１ｉ側の空間の袋小路部１２１ｆに複数の放射状のリブ２１ｒ２を設けることにより、吸入空気流を阻害して吸込力を低下させることなくダクト１２１内での共鳴が抑制できる。また、電動送風機１４の吸気口１１６ｓから出る流体音を乱反射することで減衰させることができ、運転音を低減することができる。
【００７６】
集塵装置１０と電動送風機１４の吸気口１１６ｓをつなぐダクト内１２１に複数の放射状のリブ２１ｒ２を設けることで、ダクト１２１内の共鳴を抑制することができる。また、電動送風機１４の吸気口１１６ｓから出る流体音を減衰させ、運転音を低減した電気掃除機Ｓを提供できる。
従って、運転音を低減できる電気掃除機Ｓを実現することができる。
【００７７】
＜＜実施形態２の変形例２＞＞
図２１に実施形態２の変形例２の電動送風機の吸込み部廻りを見た斜視図を示す。
また、図２２に、実施形態２の変形例２のダクト１２１と上モータケース１１６ａとを分解した状態を斜め上方から見た斜視図を示し、図２３に、実施形態２の変形例２のダクト１２１と上モータケース１１６ａとを分解した状態を斜め下方から見た斜視図を示す。
【００７８】
実施形態２の変形例２は、ダクト１２１の袋小路部１２１ｆ内の上壁板１２１ｆ１に、複数の柱状突起２１ｃを上モータケース１１６ａに向けて設けたものである。
これ以外の構成は、実施形態２と同様であるから、同様な構成要素には、同一の符号を付して示し、詳細な説明は省略する。
【００７９】
上記構成によれば、ダクト１２１の袋小路部１２１ｆの上壁板１２１ｆ１に複数の柱状突起２１ｃが上モータケース１１６ａに向けて設けられる。そのため、電動送風機１４のアッセンブリ時にダクト１２１の袋小路部１２１ｆ内に、ダクト１２１の複数の柱状突起２１ｃが形成されるので、電気掃除機Ｓの運転時、電動送風機１４のモータ音が複数の柱状突起２１ｃに当たり反射され互いにかき消される。また、電気掃除機Ｓの運転時の送風機１４の吸込み側の共鳴現象が、複数の柱状突起２１ｃで寸断されて抑制され共鳴音の低減が可能である。
【００８０】
つまり、反ダクト入口部１２１ｉ側の空間の袋小路部１２１ｆの上壁板１２１ｆ１に複数の柱状突起２１ｃを設けることにより、吸入空気流を阻害して吸込力を低下させることなくダクト１２１内での共鳴を抑制できる。また、電動送風機１４の吸気口１１６ｓから出る流体音を複数の柱状突起２１ｃで乱反射することで減衰させることができ、運転音を低減することができる。
【００８１】
集塵装置１０と電動送風機１４の吸気口１１６ｓをつなぐダクト内１２１に複数の柱状突起２１ｃを設けることで、ダクト１２１内の共鳴現象が抑制され、かつ電動送風機１４の吸気口１１６ｓから出る流体音を減衰され、運転音を低減した電気掃除機Ｓを提供できる。
従って、運転音を低減できる電気掃除機Ｓを実現することができる。
【００８２】
＜＜実施形態３＞＞
図２４に実施形態３の電動送風機の吸込み部廻りを見た斜視図を示す。図２５に、実施形態３のダクト２２１と上モータケース２１６ａとを分解した状態を斜め上方から見た斜視図を示し、図２６に、実施形態３のダクト２２１と上モータケース２１６ａとを分解した状態を斜め下方から見た斜視図を示す。  
【００８３】
実施形態３の電気掃除機Ｓの電動送風機１４の吸込み部廻りの構成は、上モータケース２１６ａ上に板状のリブ１６ｄ１を設け、ダクト２２１の袋小路部２２１ｆに複数の板状のリブを設けないで構成したものである。
これ以外の構成は、実施形態１と同様であるから、重複する説明は省略する。
【００８４】
実施形態３のダクト２２１は、ダクト入口部２２１ｉから流入する空気の方向と、電動送風機１４の吸気口２１６ｉに吸入される空気の方向とが略直交するように直角形状の風路２２１ｗが形成されている。
ダクト入口部２２１ｉは、鉛直面状に形成されており、吸気口２１６ｉに続く風路２２１ｗが通るダクト出口部２２１ｏは、ダクト２２１の下面を形成するように構成されている。そして、ダクト入口部２２１ｉとダクト出口部２２１ｏとは、直角に進行方向を変える風路２２１ｗにて接続されている。
【００８５】
ダクト２２１には、ダクト入口部２２１ｉおよび電動送風機１４の吸気口２１６ｉから離れた位置に、袋小路を成す袋小路部２２１ｆが形成されている。袋小路部２２１ｆは、ダクト出口部２２１ｏの一部から上方に膨出して上モータケース２１６ａの吸気口２１６ｉとの間に空間(スペース)を有するように形成されている。
【００８６】
＜上モータケース２１６ａ＞
図２４に示すように、電動送風機１４の上部を覆う上モータケース２１６ａは、電動送風機１４の中央から下部を覆う下モータケース１６ｂにねじｎ３止めで固定されている。
上モータケース２１６ａの中央には、略円状の孔である電動送風機１４への吸気口２１６ｓが形成されている。吸気口２１６ｓに対向して、電動送風機１４で吸引する風を起こす羽根１４ｈが複数設けられている。
【００８７】
図２５、図２６に示すように、上モータケース２１６ａは、下方に開口２１６ｋをもつ電動送風機１４の上部を覆う皿形状を有している、
図２５に示すように、上モータケース２１６ａには、ダクト２２１のダクト出口部２２１ｏに装着されるパッキング(図示)が当接される気密用のリブ２１６ｍが、上方に突出してダクト２２１のダクト出口部２２１ｏの形状に沿って形成されている。
【００８８】
上モータケース２１６ａにおける吸気口２１６ｓとリブ２１６ｍとの間には、電動送風機１４の羽根１４ｈに沿った方向に複数の板状のリブ１６ｄ１が立設されている。実施形態３では、図２５に示すように、６つのリブ１６ｄ１が形成される場合を示している。
【００８９】
図２６に示すように、上モータケース２１６ａには、ダクト２２１を固定するための雌ねじ２１６ｏ１が螺刻される固定用ボス２１６ｏが設けられている。また、上モータケース２１６ａには、下モータケース１６ｂに固定するねじｎ３が挿通する貫通孔をもつ固定用ボス２１６ｈが複数設けられている。
説明した構成のダクト２２１を上モータケース２１６ａにねじｎ２止めで固定すると、ダクト２２１の袋小路部２２１ｆ内に上モータケース２１６ａの複数の板状のリブ１６ｄ１が配置される。
【００９０】
上記構成によれば、電動送風機１４が覆われる上モータケース２１６ａのダクト２２１の袋小路部２２１ｆ内に複数の板状のリブ１６ｄ１を設けている。そのため、電動送風機１４のアッセンブリ時にダクト２２１の袋小路部２２１ｆ内に、上モータケース２１６ａの複数の板状のリブ１６ｄ１が形成される。
【００９１】
これにより、電気掃除機Ｓの運転時、電動送風機１４のモータ音が複数の板状のリブ１６ｄ１に当たり減衰しかき消される。また、電気掃除機Ｓの運転時の送風機１４の吸込み側の共鳴現象が複数の板状のリブ１６ｄ１により寸断され抑制され共鳴音の低減が可能である。
【００９２】
つまり、反ダクト入口部２２１ｉ側の空間の袋小路部２２１ｆに複数のリブ１６ｄ１を設けることにより、吸入空気流を阻害して吸込力を低下させることなくダクト２２１内での共鳴を抑制できる。また、電動送風機１４の吸気口２１６ｓから出る流体音を複数の板状のリブ１６ｄ１で乱反射することで減衰させることができ、運転音を低減することができる。
【００９３】
集塵装置１０と電動送風機１４の吸気口２１６ｓをつなぐダクト内２２１に複数のリブ１６ｄ１を設けることで、ダクト２２１内の共鳴を防止し、かつ電動送風機１４の吸気口２１６ｓから出る流体音を減衰させ、運転音を低減した電気掃除機Ｓを提供できる。
従って、運転音を低減できる電気掃除機Ｓを実現することができる。
【００９４】
＜＜実施形態３の変形例１＞＞
図２７に実施形態３の変形例１の電動送風機の吸込み部廻りを見た斜視図を示す。図２８に、実施形態３の変形例１のダクト２２１と上モータケース２１６ａとを分解した状態を斜め上方から見た斜視図を示し、図２９に、実施形態３の変形例１のダクト２２１と上モータケース２１６ａとを分解した状態を斜め下方から見た斜視図を示す。  
【００９５】
実施形態３の変形例は、ダクト２２１の袋小路部２２１ｆ内の複数の板状のリブ１６ｄ２を、上モータケース２１６ａ内の電動送風機１４の回転中心と同心状に形成される吸気口２１６ｓに対して放射状に設けたものである。
これ以外の構成は、実施形態３と同様であるから、同様な構成要素には、同一の符号を付して示し、詳細な説明は省略する。
【００９６】
上記構成によれば、電動送風機１４が覆われる上モータケース２１６ａのダクト２２１の袋小路部２２１ｆ内に、複数の板状のリブ１６ｄ２を電動送風機１４の回転中心（吸気口２１６ｓの中心）に対して放射状に設けているので、電気掃除機Ｓの運転時、電動送風機１４のモータ音が、放射状の複数の板状のリブ１６ｄ２に衝突して反射してかき消される。また、電気掃除機Ｓの運転時の送風機１４の吸込み側の共鳴現象が、放射状の複数の板状のリブ１６ｄ２に整流されて抑制され共鳴音の低減が可能である。
【００９７】
つまり、反ダクト入口部２２１ｉ側の空間の袋小路部２２１ｆに放射状の複数のリブ１６ｄ２を設けることにより、吸入空気流を阻害して吸込力を低下させることなくダクト２２１内での共鳴を抑制できる。また、電動送風機１４の吸気口２１６ｓから出る流体音を複数のリブ１６ｄ２で乱反射することで減衰させることができ、運転音を低減することができる。
【００９８】
集塵装置１０と電動送風機１４の吸気口２１６ｓをつなぐダクト内２２１に複数の板状のリブ１６ｄ２を放射状に設けることで、ダクト２２１内の共鳴を抑制し、かつ電動送風機１４の吸気口２１６ｓから出る流体音を減衰させ、運転音を低減した電気掃除機Ｓを提供できる。
従って、運転音を低減できる電気掃除機Ｓを実現することができる。
【００９９】
＜＜実施形態３の変形例２＞＞
図３０に実施形態３の変形例２の電動送風機の吸込み部廻りを見た斜視図を示す。図３１に、実施形態３の変形例２のダクト２２１と上モータケース２１６ａとを分解した状態を斜め上方から見た斜視図を示し、図３２に、実施形態３の変形例２のダクト２２１と上モータケース２１６ａとを分解した状態を斜め下方から見た斜視図を示す。  
【０１００】
実施形態３の変形例２は、ダクト２２１の袋小路部２２１ｆ内の上モータケース２１６ａ上に複数の柱状突起２１ｃ１をダクト２２１に向けて立設して形成したものである。
これ以外の構成は、実施形態３と同様であるから、同様な構成要素には、同一の符号を付して示し、詳細な説明は省略する。
【０１０１】
上記構成によれば、電動送風機１４が覆われる上モータケース２１６ａのダクト２２１の袋小路部２２１ｆ内の上モータケース２１６ａ上に、複数の柱状突起２１ｃ１をダクト２２１に向けて立設して形成している。そのため、電気掃除機Ｓの運転時、電動送風機１４のモータ音が、複数の柱状突起２１ｃ１に衝突して反射してかき消される。また、電気掃除機Ｓの運転時の送風機１４の吸込み側の共鳴現象が、複数の柱状突起２１ｃ１で寸断され抑制され共鳴音の低減が可能である。
【０１０２】
つまり、反ダクト入口部２２１ｉ側の空間の袋小路部２２１ｆ内に複数の柱状突起２１ｃ１を設けることにより、吸入空気流を阻害して吸込力を低下させることなくダクト２２１内での共鳴を抑制できる。また、電動送風機１４の吸気口２１６ｓから出る流体音を乱反射することで減衰させることができ、運転音を低減することができる。
【０１０３】
集塵装置１０と電動送風機１４の吸気口２１６ｓをつなぐダクト内２２１に複数の柱状突起２１ｃ１を設けることで、ダクト２２１内の共鳴を抑制し、かつ電動送風機１４の吸気口２１６ｓから出る流体音を減衰させ、運転音を低減した電気掃除機Ｓを提供できる。
従って、運転音を低減できる電気掃除機Ｓを実現することができる。
【０１０４】
＜＜その他の実施形態＞＞
１．前記実施形態１〜３、変形例１、２では、突起として、板状のリブ、柱状突起を例に挙げて説明したが、突起であればその他の形状の突起を選択してもよい。
【０１０５】
２．なお、前記実施形態２の変形例２、前記実施形態３の変形例２では、突起として断面円形の柱状突起２１ｃ、２１ｃ１を例に挙げて説明したが、柱状であれば、横断面矩形状、多角形など断面円形以外の形状でもよく、柱状であれば、柱状突起の形状は限定されない。
【０１０６】
３．なお、前記実施形態１〜３、変形例１、２は、それぞれ独立して説明したが、実施形態１〜３、変形例１、２の各構成を適宜組み合わせて構成してもよい。
【０１０７】
なお、本発明は前記した実施形態に限定されるものでなく、様々な実施形態が含まれる。例えば、上記した実施形態は本発明を分り易く説明したものであり、必ずしも説明した全ての構成を備えるものに限定されるものではない。例えば、説明した構成の一部を含むものであってもよい。
【符号の説明】
【０１０８】
１      掃除機本体
１０    集塵装置
１１    ホース取り付け口(本体吸気口)
１４    電動送風機
１６ａ、１１６ａ、２１６ａ  上モータケース(ケース上部)
１６ｄ、２１ｒ、２１ｒ１、１６ｄ２  羽根の方向に沿った板状のリブ(突起)
１６ｓ、１１６ｓ、２１６ｓ  吸気口
２１、１２１、２２１    ダクト
２１ｃ、２１ｃ１  柱状突起(突起)
２１ｆ、１２１ｆ、２２１ｆ袋小路部(空間部)
２１ｉ、１２１ｉ、２２１ｉ  ダクト入口部(上流開口)
２１ｏ、１２１ｏ、２２１ｏ  ダクト出口部(下流開口)
２１ｒ２、１６ｄ１  放射状の板状のリブ      
Ｓ      電気掃除機
２１ｗ  風路(流路)
【図１１】
2016010429.tif 000003
【図１２】
2016010429.tif 000004
【図１３】
2016010429.tif 000005
【図１４】
2016010429.tif 000006
【図１５】
2016010429.tif 000007
【図１６】
2016010429.tif 000008
【図１７】
2016010429.tif 000009
【図１８】
2016010429.tif 000010
【図１９】
2016010429.tif 000011
【図２０】
2016010429.tif 000012
【図２１】
2016010429.tif 000013
【図２２】
2016010429.tif 000014
【図２３】
2016010429.tif 000015
【図２４】
2016010429.tif 000016
【図２５】
2016010429.tif 000017
【図２６】
2016010429.tif 000018
【図２７】
2016010429.tif 000019
【図２８】
2016010429.tif 000020
【図２９】
2016010429.tif 000021
【図３０】
2016010429.tif 000022
【図３１】
2016010429.tif 000023
【図３２】
2016010429.tif 000024
【図１】
2016010429.tif 000025
【図２】
2016010429.tif 000026
【図３】
2016010429.tif 000027
【図４】
2016010429.tif 000028
【図５】
2016010429.tif 000029
【図６】
2016010429.tif 000030
【図７】
2016010429.tif 000031
【図８】
2016010429.tif 000032
【図９】
2016010429.tif 000033
【図１０】
2016010429.tif 000034